(57)【要約】      （修正有）【課題】ルアーの外見は自然な魚の流線型のまま、ルアーを泳がせた際に大きなローリングや尾の横揺れを発生させるルアーを提供する。【解決手段】ルアー本体Ｅの内部の腹から尾にかけて、錘の移動通路Ｄを設け、その通路の中程下部に磁石Ｃを取り付ける。また、その通路Ｄに、磁力の影響を受けにくい錘Ａと、磁石に付く錘Ｂを並べる。この際、錘Ａ１、Ａ２、Ａ３が頭側、錘Ｂが尾側になるように並べる。【選択図】図５
0003160473.tif 000002
【実用新案登録請求の範囲】
【請求項１】
ルアー本体Ｅ内部の腹部から尾にかけて、錘の移動通路Ｄを設け、その通路Ｄの中程下部に磁石Ｃを図５のように取り付けるとともに、磁力の影響を受けにくい錘Ａ（図５にはＡ１、Ａ２、Ａ３と記載）が頭側に、磁石に付く錘Ｂが尾側に位置するようにＤに並べるところを特徴とする釣り用ルアー
【考案の詳細な説明】
【技術分野】
【０００１】本考案は魚釣り用ルアーの内部に、ルアーを泳がせた際のローリングや尾側の横揺れを大きくすることを目的とする錘Ａ（図５にはＡ１、Ａ２、Ａ３と記載）、錘Ｂおよび磁石Ｃ、そして錘の移動通路Ｄを有する釣り用ルアー
【背景技術】
【０００２】従来の釣り用ルアーには、移動式の錘を内蔵している種類があるが、これはキャスティング時により遠くへ飛ばすとともに、着水後の釣り用ルアーの姿勢を、一般的な魚の姿勢と同様に水平に安定させるためである。上記２つの目的を達成するため、キャスティング時には遠心力により錘が尾の方に移動し、なおかつ着水後には姿勢を水平に保つため錘が腹側に移動するように、ルアー内部には尾から腹部にかけて錘とその通り道としてのスペースを備えている。
しかし、従来のものでは、ルアーが水中を泳ぐ際の主な動きは、腹部に移動した錘を中心とした左右へのローリングが主なものとなり、実際の魚の尾ひれの揺れに似た左右への揺れが小さく、一般的な魚が泳ぐ際の動きと異なる。
従来、これを解消するため、抵抗版をルアー表面上に設け、ルアーを泳がせた際に海水の抵抗によりルアー本体に揺れをおこす仕掛けを有するものある。しかし、この抵抗版は突起物であるゆえに、魚釣りの現場で何かにぶつかったり引っかかったりするなどの衝撃で接着面に負担がかかり、破損してしまうケースがあった。また、ルアー表面に付いた抵抗版の存在により外見上魚本来の形とは異なるため、魚が釣り用ルアーに不信感を抱き、魚が釣れる確率が下がる虞があった。
【考案が解決しようとする課題】
【０００３】本考案は、従来の技術の有するこのような問題点に鑑みてなされたものであり、その目的とするところは、外見が自然な魚の形状である流線型のまま、つまり抵抗板のような外見上不自然な突起物を取り付けないままで、ルアーを泳がせた際に生じるローリングおよび横揺れが大きくなる釣り用ルアーを提供しようとするものである。
【課題を解決するための手段】
【０００４】  ルアー内部に、錘の移動通路Ｄを設け、その中程下側に磁石Ｃを図５のように取り付ける。移動通路Ｄに、磁力の影響を受けにくい錘Ａ（図５にはＡ１、Ａ２、Ａ３と記載）が頭側、磁石に付く錘Ｂが尾側に位置するように並べる。
【考案の効果】
【０００５】キャスティング時、ルアー本体Ｅの内部では、錘の移動通路Ｄにおいて錘Ａ（図５にはＡ１、Ａ２、Ａ３と記載）、錘Ｂ共に遠心力で尾側に移動し、ルアーが尾の先端から空気抵抗の少ない形で飛ぶため、これらの錘は従来のルアー同様にキャスティング時の飛距離を伸ばす役割を果たす。
また、着水後錘Ａは腹側に移動し、図５のように錘の通路Ｄの中程下部に取り付けられた磁石Ｃの上を素通りして最底部に落ち着き、従来のルアー同様、姿勢を水平に保つ役目を果たす。
本考案では、錘Ａが腹部で落ち着く一方で、錘Ｂもルアー着水後腹側に向かって移動し始めるものの、移動途中で磁石Ｃの磁力の影響を受け、通路途中、磁石の真上で止まり、錘Ａの後方かつ高位置に留まる。
ルアーを泳がせた際、ルアーが左右に傾くようなローリングの動きが生じるが、その時の回転軸は錘Ａを通るルアーの進行方向の直線とほぼ重なるが、錘Ｂはその回転軸から離れて位置しているので、錘Ｂはその重みでルアーのローリングの傾きを大きくする。
また、ルアーを泳がせる際、水の抵抗等でローリングの回転軸にわずかにブレが生じるが、錘Ｂは錘Ａより後方（尾側）にあることから、ローリングの動きを伴いながらそのぶれを増大し、ルアーの尾側の横揺れが大きくなる。
従来の抵抗版がルアーの表面上にあるのと異なり、本考案では、ルアー内部に上記の仕掛けが有り、ルアーの形が自然な魚の流線型に保たれているので、引っかかり等による破損の可能性は減少する。
また魚は、見た目やその動きが魚により近い釣り用ルアーを好む傾向があるので、魚から見て外見上不自然な突起物が無く、魚の動きに近い揺れを起こす本考案の釣り用ルアーは、より魚を魅了させ、食いつかせる確率を高くする。
【考案を実施するための形態】
【０００６】  ルアー本体Ｅの内部に、錘の移動通路Ｄを設け、またその通路下側に磁石Ｃを固定する。磁力の影響を受けにくい錘Ａ（図５にはＡ１、Ａ２、Ａ３と記載）を頭側、磁力の影響を受けやすい錘Ｂを尾側になるように、錘の移動通路Ｄに並べる。これにより、ルアーの着水後、ルアー内部の錘のうち磁力の影響を受けにくいＡは、通路を通って腹部分に移動するため、自然な魚の姿勢に近い水平を保つ。一方、磁力の影響を受けやすい錘Ｂは、尾から腹に向かう途中で磁力の影響で磁石Ｃの真上に留まる。その結果、２種類の錘が、前後高低差のあるところに離れて位置し、後方高位置にある錘Ｂの重力の影響で、ルアーのローリングが大きくなり、また、尾の左右の揺れも大きくなる。
【実施例】
【０００７】  以下、添付図面に従って一実施例を説明する。
Ｅは耐久性のプラスチック等の適宜素材にて形成されたルアー本体、Ｄは錘が移動するための通路、Ａ１、Ａ２、Ａ３は磁力の影響を受けにくい錘であり（同素材同形状であり区別は無く、並びの順番の区別も無い）、Ｂは磁力の影響を受けやすい錘、Ｃは磁石である。Ａ１、Ａ２，Ａ３とＢの位置関係は、図５のように、Ａ１、Ａ２、Ａ３が頭側、Ｂが尾側となるように並べる。
【図面の簡単な説明】
【図１】本考案の釣り用ルアーの正面図である。
【図２】本考案の釣り用ルアーの背面図である。
【図３】本考案の釣り用ルアーの平面図である。
【図４】本考案の釣り用ルアーの右側面図である。
【図５】本考案の釣り用ルアーの断面図である。
【図１】
0003160473.tif 000003
【図２】
0003160473.tif 000004
【図３】
0003160473.tif 000005
【図４】
0003160473.tif 000006
【図５】
0003160473.tif 000007
【手続補正書】
【提出日】平成21年9月2日(2009.9.2)
【手続補正１】
【補正対象書類名】明細書
【補正対象項目名】全文
【補正方法】変更
【補正の内容】
【考案の詳細な説明】
【技術分野】
【０００１】  本考案は魚釣り用ルアーの内部に、ルアーを泳がせた際のローリングや尾側の横揺れを大きくすることを目的とする錘Ａ（図５にはＡ１、Ａ２、Ａ３と記載）、錘Ｂおよび磁石Ｃ、そして錘の移動通路Ｄを有する釣り用ルアー
【背景技術】
【０００２】  従来の釣り用ルアーには、移動式の錘を内蔵している種類があるが、これはキャスティング時により遠くへ飛ばすとともに、着水後の釣り用ルアーの姿勢を、一般的な魚の姿勢と同様に水平に安定させるためである。上記２つの目的を達成するため、キャスティング時には遠心力により錘が尾の方に移動し、なおかつ着水後には姿勢を水平に保つため錘が腹側に移動するように、ルアー内部には、錘と、尾から腹部にかけてその錘の通り道としてのスペースを備えている。【０００３】  しかし、従来のものでは、ルアーが水中を泳ぐ際の主な動きは、腹部に移動した錘を中心とした左右へのローリングが主なものとなり、実際の魚の尾ひれの揺れに似た左右への揺れが小さく、一般的な魚が泳ぐ際の動きと異なる。【０００４】  従来、これを解消するため、抵抗版をルアー表面上に設け、ルアーを泳がせた際に海水の抵抗によりルアー本体に揺れをおこす仕掛けを有するものある。しかし、この抵抗版は突起物であるゆえに、魚釣りの現場で何かにぶつかったり引っかかったりするなどの衝撃で接着面に負担がかかり、破損してしまうケースがあった。また、ルアー表面に付いた抵抗版の存在により外見上魚本来の形とは異なるため、魚が釣り用ルアーに不信感を抱き、魚が釣れる確率が下がる虞があった。
【考案が解決しようとする課題】
【０００５】  本考案は、従来の技術の有するこのような問題点に鑑みてなされたものであり、その目的とするところは、外見が自然な魚の形状である流線型のまま、つまり抵抗板のような外見上不自然な突起物を取り付けないままで、ルアーを泳がせた際に生じるローリングおよび横揺れが大きくなる釣り用ルアーを提供しようとするものである。
【課題を解決するための手段】
【０００６】  ルアー内部に、錘の移動通路Ｄを設け、その中程下側に磁石Ｃを図５のように取り付ける。移動通路Ｄに、磁力の影響を受けにくい錘Ａ（図５にはＡ１、Ａ２、Ａ３と記載）が頭側、磁石に付く錘Ｂが尾側に位置するように並べる。
【考案の効果】
【０００７】  キャスティング時、ルアー本体Ｅの内部では、錘の移動通路Ｄにおいて錘Ａ（図５にはＡ１、Ａ２、Ａ３と記載）、錘Ｂ共に遠心力で尾側に移動し、ルアーが尾の先端から空気抵抗の少ない形で飛ぶため、これらの錘は従来のルアー同様にキャスティング時の飛距離を伸ばす役割を果たす。また、着水後錘Ａは腹側に移動し、図５のように錘の通路Ｄの中程下部に取り付けられた磁石Ｃの上を素通りして最底部に落ち着き、従来のルアー同様、姿勢を水平に保つ役目を果たす。
【０００８】  本考案では、錘Ａが腹部で落ち着く一方で、錘Ｂもルアー着水後腹側に向かって移動し始めるものの、移動途中で磁石Ｃの磁力の影響を受け、通路途中、磁石の真上で止まり、錘Ａの後方かつ高位置に留まる。
【０００９】  ルアーを泳がせた際、ルアーが左右に傾くようなローリングの動きが生じるが、その時の回転軸は錘Ａを通るルアーの進行方向の直線とほぼ重なるが、錘Ｂはその回転軸から離れて位置しているので、錘Ｂはその重みでルアーのローリングの傾きを大きくする。
【００１０】  また、ルアーを泳がせる際、水の抵抗等でローリングの回転軸にわずかにぶれが生じるが、錘Ｂは錘Ａより後方（尾側）にあることから、ローリングの動きを伴いながらそのぶれを増大し、ルアーの尾側の横揺れが大きくなる。
【００１１】  従来の抵抗版がルアーの表面上にあるのと異なり、本考案では、ルアー内部に上記の仕掛けが有り、ルアーの形が自然な魚の流線型に保たれているので、引っかかり等による破損の可能性は減少する。また魚は、見た目やその動きが魚により近い釣り用ルアーを好む傾向があるので、魚から見て外見上不自然な突起物が無く、魚の動きに近い揺れを起こす本考案の釣り用ルアーは、より魚を魅了させ、食いつかせる確率を高くする。
【考案を実施するための形態】
【００１２】  ルアー本体Ｅの内部に、錘の移動通路Ｄを設け、またその通路下側に磁石Ｃを固定する。磁力の影響を受けにくい錘Ａ（図５にはＡ１、Ａ２、Ａ３と記載）を頭側、磁力の影響を受けやすい錘Ｂを尾側になるように、錘の移動通路Ｄに並べる。これにより、ルアーの着水後、ルアー内部の錘のうち磁力の影響を受けにくいＡは、通路を通って腹部分に移動するため、自然な魚の姿勢に近い水平を保つ。一方、磁力の影響を受けやすい錘Ｂは、尾から腹に向かう途中で磁力の影響で磁石Ｃの真上に留まる。その結果、２種類の錘が、前後高低差のあるところに離れて位置し、後方高位置にある錘Ｂの重力の影響で、ルアーのローリングが大きくなり、また、尾の左右の揺れも大きくなる。
【実施例】
【００１３】  以下、添付図面に従って一実施例を説明する。Ｅは耐久性のプラスチック等の適宜素材にて形成されたルアー本体、Ｄは錘が移動するための通路、Ａ１、Ａ２、Ａ３は磁力の影響を受けにくい錘であり（同素材同形状であり区別は無く、並びの順番の区別も無い）、Ｂは磁力の影響を受けやすい錘、Ｃは磁石である。Ａ１、Ａ２，Ａ３とＢの位置関係は、図５のように、Ａ１、Ａ２、Ａ３が頭側、Ｂが尾側となるように並べる。
【図面の簡単な説明】
【００１４】
【図１】本考案の釣り用ルアーの正面図である。
【図２】本考案の釣り用ルアーの背面図である。
【図３】本考案の釣り用ルアーの右側面図である。
【図４】本考案の釣り用ルアーの底面図である。
【図５】本考案の釣り用ルアーの断面図である。
【符号の簡単な説明】
【００１５】Ａ１  磁力の影響を受けにくい素材でできた錘
Ａ２  磁力の影響を受けにくい素材でできた錘
Ａ３  磁力の影響を受けにくい素材でできた錘
Ｂ    磁力の影響を受けやすい素材でできた錘
Ｃ    磁石
Ｄ    錘Ａ１、Ａ２、Ａ３、Ｂの移動通路
Ｅ    ルアー本体
【手続補正書】
【提出日】平成22年1月20日(2010.1.20)
【手続補正１】
【補正対象書類名】実用新案登録請求の範囲
【補正対象項目名】全文
【補正方法】変更
【補正の内容】
【実用新案登録請求の範囲】
【請求項１】
ルアー本体Ｅの内部の腹部から尾にかけて、魚の泳ぐ一般的な姿勢に対し、尾側が腹側より一段高くなるように仕切り板により段差をもつ錘の移動通路Ｄを設け、移動通路Ｄを形成する仕切り板のうちルアー内部の尾側の空間を上下に二分するように水平方向に位置する部分の段差付近でなおかつ錘の接する面とは半対の面に磁石Ｃを固定し、磁力の影響を受けにくい性質をもつ複数個の錘Ａを頭側に、磁石に付く性質をもつ錘Ｂが尾側に位置するような順番で移動通路Ｄに並べるところを特徴とする釣り用ルアー。
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
ルアー本体Ｅの内部の腹部から尾にかけて、魚の泳ぐ一般的な姿勢に対し、尾側が腹側より一段高くなるように仕切り板により段差をもつ錘の移動通路Ｄを設け、移動通路Ｄを形成する仕切り板のうちルアー内部の尾側の空間を上下に二分するように水平方向に位置する部分の段差付近でなおかつ錘の接する面とは反対の面に磁石Ｃを固定し、磁力の影響を受けにくい性質をもつ複数個の錘Ａを頭側に、磁石に付く性質をもつ錘Ｂが尾側に位置するような順番で移動通路Ｄに並べるところを特徴とする釣り用ルアー。